(57)【要約】  画像表示装置（１）は、前面に画像を表示する表示パネル（１０）と、表示パネル（１０）の背面側に配置されたベースプレート（５０）と、表示パネル（１０）及びベースプレート（５０）との間に配置された導光板（１２）と、光源部（６０）と、光源カバー（７０）と、コーナー部材（３０）とを備える。光源部（６０）は、ベースプレート（５０）の端縁部に沿って配置され、導光板（１２）の端面に光を入射する。光源カバー（７０）は、光源部（６０）の前方を覆う長尺状の形状を有している。コーナー部材（３０）は、ベースプレート（５０）の角部に沿って配置され、表示パネル（１０）を側方から支持する部材であり、前後方向において一部が光源カバー（７０）と重ねて配置されている。
2019065230.tif 000002
【特許請求の範囲】
【請求項１】
前面に画像を表示する表示パネルと、
前記表示パネルの背面側に配置されたベースプレートと、
前記表示パネル及び前記ベースプレートの間に配置された導光板と、
前記ベースプレートの端縁部に沿って配置され、前記導光板の端面に光を入射する長尺状の光源部と、
前記光源部の前方を覆う長尺状の光源カバーと、
前記ベースプレートの角部に沿って配置され、前記表示パネルを側方から支持するコーナー部材であって、前後方向において一部が前記光源カバーと重ねて配置されたコーナー部材と
を備える画像表示装置。
【請求項２】
前記光源カバーは、前記光源部側の面に形成された光反射面を有する
請求項１記載の画像表示装置。
【請求項３】
さらに、前記導光板と前記表示パネルとの間に配置された１以上の光学シートを備え、
前記コーナー部材は、正面視において矩形状の前記ベースプレートにおける４つの前記角部のそれぞれに配置されており、
前記ベースプレートにおける、隣り合う２つの前記角部に配置された２つの前記コーナー部材の間の位置に、前記１以上の光学シートを支持する支持部材が配置されている
請求項１記載の画像表示装置。
【請求項４】
さらに、前記導光板と前記ベースプレートとの間に配置された反射板を備え、
前記反射板は、前記支持部材と当接することで、前記前後方向と直交する方向への移動が規制される
請求項３記載の画像表示装置。
【請求項５】
前記ベースプレートは、前記光源部の長手方向における端部に当接する舌片部であって、前記ベースプレートの一部を切り起こして設けられた舌片部を有する
請求項１記載の画像表示装置。
【請求項６】
前記コーナー部材は、正面視において矩形状の前記ベースプレートにおける４つの前記角部のそれぞれに配置されており、
前記ベースプレートにおける、隣り合う２つの前記角部に配置された２つの前記コーナー部材の間の位置に、所定の信号を受信する受信部が配置されている
請求項１記載の画像表示装置。
【請求項７】
さらに、前記表示パネルと前記導光板との間に配置された光学シートを備え、
前記光源カバーは、前記導光板の前記光源部側の端部における一辺に沿って延び、前記表示パネル側から前記光源部及び前記導光板の前記端部を覆う状態で配置されており、
前記光源カバーの前記光源部側の面には反射面が形成されており、
前記光学シートの前記端部は、前記光源カバーの前記光源部と反対側の面に摺動可能に載置されている
請求項１記載の画像表示装置。
【請求項８】
前記光源カバーには、前記導光板の前記端部から前記光源部に向けて、前記導光板から離れる方向に傾斜する傾斜部が形成されている
請求項７記載の画像表示装置。
【請求項９】
前記導光板は、前記端面から入射された光を前記表示パネルの背面に向けて出射する主面を有し、
前記画像表示装置は、さらに、
前記表示パネルと前記導光板との間に配置された光学シートと、
前記表示パネルと前記導光板との間に配置され、前記導光板の前記光源部側の端部における前記主面からの光を遮光するための遮光部と、を備える
請求項１記載の画像表示装置。
【請求項１０】
前記遮光部は、前記光学シートの前記光源部側の端部に形成されている
請求項９記載の画像表示装置。
【請求項１１】
前記遮光部は、前記光学シートの前記端部における一辺に沿って帯状に延びている
請求項１０記載の画像表示装置。
【発明の詳細な説明】
【技術分野】
【０００１】
本開示は、液晶セル等の表示パネルを備える画像表示装置に関する。
【背景技術】
【０００２】
特許文献１は、画像を表示するパネルと、パネルを前面に支持したシャーシと、シャーシの背面に固定された複数の回路基板と、これらを内部に納めるフロントカバーおよびバックカバーとを備える画像表示装置を開示する。
【先行技術文献】
【特許文献】
【０００３】
【特許文献１】特開２００８−９１６４号公報
【特許文献２】特開２００９−３７２１２号公報
【発明の概要】
【発明が解決しようとする課題】
【０００４】
本開示は、表示パネルを備え、かつ、軽量化が可能な画像表示装置を提供する。
【課題を解決するための手段】
【０００５】
本開示における画像表示装置は、前面に画像を表示する表示パネルと、前記表示パネルの背面側に配置されたベースプレートと、前記表示パネル及び前記ベースプレートの間に配置された導光板と、前記ベースプレートの端縁部に沿って配置され、前記導光板の端面に光を入射する長尺状の光源部と、前記光源部の前方を覆う長尺状の光源カバーと、前記ベースプレートの角部に沿って配置され、前記表示パネルを側方から支持するコーナー部材であって、前後方向において一部が前記光源カバーと重ねて配置されたコーナー部材とを備える。
【発明の効果】
【０００６】
本開示における画像表示装置によれば、表示パネルを備え、かつ、軽量化が可能である。
【図面の簡単な説明】
【０００７】
【図１】図１は、実施の形態１に係る画像表示装置の分解斜視図である。
【図２】図２は、実施の形態１に係る光源カバーを光源部から離した状態を示す斜視図である。
【図３Ａ】図３Ａは、実施の形態１に係るコーナー部材を、光源カバーから離した状態を示す斜視図である。
【図３Ｂ】図３Ｂは、実施の形態１に係るコーナー部材を正規の位置に配置した状態を示す斜視図である。
【図４】図４は、図３ＢのＩＶ−ＩＶ線を通るＹＺ平面における画像表示装置の部分断面を示す図である。
【図５】図５は、実施の形態１に係る光学シート部がベースプレートに配置された状態を示す斜視図である。
【図６】図６は、実施の形態１に係る光学シート部をベースプレートから離した状態を示す斜視図である。
【図７】図７は、実施の形態１に係る光学シート部、反射シート、及び光学シートホルダをベースプレートから離した状態を示す斜視図である。
【図８】図８は、実施の形態１に係る光源部の位置決め構造を示す斜視図である。
【図９】図９は、ベースプレートにおける受信部の配置位置の例を示す斜視図である。
【図１０】図１０は、実施の形態２に係る画像表示装置を示す斜視図である。
【図１１】図１１は、実施の形態２に係る画像表示装置を示す分解斜視図である。
【図１２】図１２は、ベゼル及び表示パネルを取り外した状態での、実施の形態２に係る画像表示装置を示す斜視図である。
【図１３】図１３は、図１２のＸＩＩＩ−ＸＩＩＩ線による、実施の形態２に係る画像表示装置の要部断面図である。
【図１４】図１４は、図１２のＸＩＶ−ＸＩＶ線による、実施の形態２に係る画像表示装置の要部断面図である。
【図１５Ａ】図１５Ａは、実施の形態２に係る第二光学シートの構成を説明するための概略平面図である。
【図１５Ｂ】図１５Ｂは、図１５ＡのＸＶＢ−ＸＶＢ線による、実施の形態２に係る第二光学シートの概略断面図である。
【図１６】図１６は、実施の形態２に係る光学シート部を示す分解斜視図である。
【図１７】図１７は、図１４の一部を拡大して示す、実施の形態２に係る画像表示装置の要部断面図である。
【発明を実施するための形態】
【０００８】
本願発明者らは、従来の画像表示装置に関し、以下の問題が生じることを見出した。従来の液晶テレビ等の画像表示装置では、例えば液晶セルである表示パネルの周縁部を前方から覆うベゼルが備えられている。画像表示装置が備えるベゼルとしては、例えば上記特許文献１におけるフロントカバーのように、矩形環状の部材が採用される。ベゼルは、例えば、画像表示装置を装飾する役割、及び、表示パネルの周縁部を前面側から支持する役割等を担っている。
【０００９】
また、ベゼルの後方には、矩形環状の枠部材（例えばモールドフレームと呼ばれる）が配置される。矩形環状の枠部材は、表示パネルを上下左右から囲むように配置され、表示パネルの端面と当接することで、表示パネルの上下左右方向の移動を規制する役割（表示パネルを側方から支持する役割）を担う。
【００１０】
また、導光板の端面に沿って光源部を配置する、いわゆるエッジライト方式のバックライトユニットを有する画像表示装置の場合、矩形環状の枠部材は、光源部から放出された光を前方に漏らさないため遮蔽体としても機能する。当該枠部材はさらに、導光板等の光学部材を支持する支持部材としても機能することができる。
【００１１】
このように、ベゼルの後方に配置された矩形環状の枠部材は、画像表示装置において各種の役割を担うことができる。しかしながら、近年では、例えば画像表示装置に対する軽量化の要求に応えるため、画像表示装置を構成する各種の部品について軽量化を図る必要があり、当該枠部材もその例外ではない。そこで、矩形環状の枠部材の一部を欠くことで、当該枠部材の軽量化を図ることも考えられるが、この場合、例えば、当該枠部材に、表示パネル等をどのように支持させるかが問題となる。また、上記のような漏れ光の問題にも対処する必要があるため、表示パネルを側方から支持する枠部材の構成をどのようにすべきかは容易ではない。
【００１２】
本開示は、このような知見に基づいてなされたものであり、本願発明者が鋭意検討した結果、表示パネルを備え、かつ、軽量化が可能な画像表示装置の構造についての着想を得た。
【００１３】
以下、適宜図面を参照しながら実施の形態１及び２を説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１４】
なお、本願発明者は、当業者が本開示を十分に理解するために添付図面および以下の説明を提供するのであって、これらによって請求の範囲に記載の主題を限定することを意図するものではない。
【００１５】
また、以下の各実施の形態において、説明の便宜上、上下方向をＸ軸方向と一致させ、前後方向をＺ軸方向と一致させ、左右方向をＹ軸方向と一致させている。しかし、これら対応付けは、本開示に係る画像表示装置の製造時または使用時における姿勢を限定するものではない。また、以下の説明において、例えば、Ｘ軸プラス側とは、Ｘ軸の矢印方向側を示し、Ｘ軸マイナス側とは、Ｘ軸プラス側とは反対側を示す。Ｙ軸方向及びＺ軸方向についても同様である。
【００１６】
以下、図１〜図８を用いて実施の形態１を説明する。まず、図１を用いて、実施の形態１に係る画像表示装置の構成概要について説明する。
【００１７】
（実施の形態１）
［１．画像表示装置の構成概要］
図１は、実施の形態１に係る画像表示装置１の分解斜視図である。図１に示すように、本実施の形態１に係る画像表示装置１は、表示パネル１０と、コーナー部材３０と、ベースプレート５０とを備える。
【００１８】
本実施の形態では、画像表示装置１は液晶テレビである。つまり、表示パネル１０は、２つの配光膜の間に配置された液晶層を有する、いわゆる液晶セルであり、配光膜及び液晶層の他に、透明電極、ガラス基板、カラーフィルタ、及び偏光フィルタ等が積層された多層構造を有している。
【００１９】
表示パネル１０の背面側（Ｚ軸プラス側）には、バックライトユニット１１が配置される。バックライトユニット１１は、背面に反射シート１３が配置された導光板１２、導光板１２の端面から光を入射する光源部６０、及び、導光板１２の前面から放出される光の拡散等を行う光学シート部１５を有する。光学シート部１５は、本実施の形態では、第一光学シート１６及び第二光学シート１７を有する。第一光学シート１６及び第二光学シート１７のそれぞれは、例えば、拡散シート、プリズムシート、または、これらシートの積層体である。なお、光学シート部１５が有する光学シートの数に特に限定はなく、光学シート部１５は、１以上の光学シートを有すればよい。
【００２０】
光源部６０は、本実施の形態では、複数のＬＥＤ（ｌｉｇｈｔ  ｅｍｉｔｔｉｎｇ  ｄｉｏｄｅ）から放出された光を、導光板１２の左（正面から見た場合）の端面から、導光板１２の内部に入射するように配置されている。すなわち、本実施の形態では、バックライトユニット１１は、エッジライト方式のバックライトユニットである。また、光源部６０の前方（Ｚ軸マイナス側）には、長尺状の光源カバー７０が配置されている。
【００２１】
ベースプレート５０は、バックライトユニット１１の背面側に配置され、バックライトユニット１１及び表示パネル１０等を保持する平板状の部材である。ベースプレート５０は、例えばアルミニウム、アルミニウム合金または鉄からなる金属板に絞り加工等のプレス加工を施すことによって成形された部材である。また、矩形状のベースプレート５０の上辺には、光学シート部１５を支持する２つの光学シートホルダ８０が取り付けられている。光学シートホルダ８０については、図５〜図７を用いて後述する。
【００２２】
コーナー部材３０は、ベースプレート５０の角部に配置され、表示パネル１０を支持する部材である。本実施の形態では、正面視において矩形状のベースプレート５０の４つの角部のそれぞれにＬ字状のコーナー部材３０が配置されている。これら４つのコーナー部材３０は、従来の、モールドフレーム等と呼ばれた矩形環状の枠部材に換えて画像表示装置１が備える部材である。
【００２３】
４つのコーナー部材３０のそれぞれは、矩形状の表示パネル１０の角部を側方から支持する。具体的には、表示パネル１０の角部の頂点ではなく、頂点の近傍の端面（Ｘ軸方向に向く端面、及び、Ｙ軸方向に向く端面）に当接するように当該角部に対して一つのコーナー部材３０が配置される。これにより、表示パネル１０の左右上下方向への移動（ＸＹ平面内の移動）が規制される。また、表示パネル１０の端縁の前方には、ベゼル２０が配置されているため、表示パネル１０は、バックライトユニット１１とベゼル２０とによって、前後方向（Ｚ軸方向）の移動が規制される。
【００２４】
なお、本実施の形態では、４つのコーナー部材３０のそれぞれは、他から独立した（別体）の部材であり、左右方向及び上下方向で隣り合う２つのコーナー部材３０を直接的につなぐ部材はない。このような特徴を有する画像表示装置１における、コーナー部材３０及びその周辺の構造について、図２〜図４を用いて以下に説明する。
【００２５】
［２．光源カバー及びコーナー部材の位置関係］
図２は、実施の形態１に係る光源カバー７０を光源部６０から離した状態を示す斜視図である。図３Ａは、実施の形態１に係るコーナー部材３０を、光源カバー７０から離した状態を示す斜視図であり、図３Ｂは、実施の形態１に係るコーナー部材３０を正規の位置に配置した状態を示す斜視図である。図４は、図３ＢのＩＶ−ＩＶ線を通るＹＺ平面における画像表示装置１の部分断面を示す図である。
【００２６】
図２に示すように、光源部６０は、ベースプレート５０の端縁部に沿って配置され、導光板１２（図１参照）の端面に光を入射する長尺状の部材である。本実施の形態では、光源部６０は、上下方向（Ｘ軸方向）に長尺状の基板６２と、基板６２の長手方向に並べられた複数のＬＥＤ素子６１とを有している。基板６２は、ベースプレート５０の端縁部においてＺ軸方向に立設された側壁部５２に固定されている。
【００２７】
光源カバー７０は、光源部６０の前方を覆う長尺状の部材である。光源カバー７０は、例えば厚さが０．２ｍｍ程度のステンレス鋼により形成されており、ベースプレート５０の側壁部５２に固定される。光源カバー７０は、光源部６０から放出される光の前方への漏れ出しを抑制する遮光部材として機能する。
【００２８】
また、光源カバー７０の長手方向の両端部のそれぞれは、コーナー部材３０に覆われる。例えば、光源カバー７０の上端部は、図３Ａ及び図３Ｂに示すように、ベースプレート５０の左上の角部に取り付けられるコーナー部材３０に覆われる。コーナー部材３０は、係合孔３１ａ及び３１ｂを有し、ベースプレート５０の左上の角部には、突起５１ａ及び５１ｂが設けられている。ベースプレート５０の突起５１ａがコーナー部材３０の係合孔３１ａに挿入され、ベースプレート５０の突起５１ｂがコーナー部材３０の係合孔３１ｂに挿入されることで、コーナー部材３０が位置決めされる。また、その状態で、図示しないネジ等によりコーナー部材３０がベースプレート５０に固定される。
【００２９】
ここで、本実施の形態では、上述のように、ベースプレート５０の４つの角部のそれぞれに、互いに別体のコーナー部材３０が配置され、これら４つのコーナー部材３０によって、表示パネル１０がＸ軸方向及びＹ軸方向から支持される。つまり、ベースプレート５０の端縁部に配置された光源部６０の前方には、表示パネル１０を側方から支持する部材は存在しない。従って、仮に、画像表示装置１が光源カバー７０を備えない場合、以下の問題が生じ得る。
【００３０】
光源部６０は、図４に示すように、ＬＥＤ素子６１の光軸が、導光板１２の端面と垂直となる姿勢で配置されているが、ＬＥＤ素子６１から放出される光は所定の広がり（配光角）を有する。そのため、ＬＥＤ素子６１から放出された光の一部が、前方（図４における上方（Ｚ軸マイナス側））に向かい、その結果、例えば表示パネル１０とベゼル２０との隙間から光が漏れだす可能性がある。また、表示パネル１０の端部に、導光板１２を介さない光が入射し、正面（前方）から表示パネル１０を見た場合に、光源部６０が配置された端部が不自然に明るく見える可能性がある。
【００３１】
しかしながら、本実施の形態では、図４に示すように、光源部６０の前方を覆うように光源カバー７０が配置されている。これにより、光源部６０から放出された光が画像表示装置１から前方に漏れ出す可能性（不要光の漏れ出しの可能性）が低減される。
【００３２】
また、光源部６０では、例えば、表示パネル１０の上下方向において均等に光を入射するために、基板６２の長手方向の端部にもＬＥＤ素子６１が配置される。そのため、光源カバー７０の長手方向の端部から、光源部６０から放出された光が漏れだす可能性もある。
【００３３】
しかしながら、本実施の形態では、光源カバー７０の長手方向の端部を前方から覆う状態で、コーナー部材３０が配置される。そのため、光源カバー７０の長手方向の端部からの不要光の漏れ出しが抑制される。
【００３４】
以上説明したように、本実施の形態に係る画像表示装置１は、前面に画像を表示する表示パネル１０と、表示パネル１０の背面側に配置されたベースプレート５０と、表示パネル１０及びベースプレート５０との間に配置された導光板１２と、光源部６０と、光源カバー７０と、コーナー部材３０とを備える。光源部６０は、ベースプレート５０の端縁部に沿って配置され、導光板１２の端面に光を入射する。光源カバー７０は、光源部６０の前方を覆う長尺状の形状を有している。コーナー部材３０は、ベースプレート５０の角部に沿って配置され、表示パネル１０を側方から支持する部材であり、前後方向において一部が光源カバー７０と重ねて配置されている。
【００３５】
この構成によれば、ベースプレート５０の角部に配置されたコーナー部材３０によって、表示パネル１０の左右上下方向の移動を規制することができる。従って、従来の液晶テレビ等の画像表示装置における矩形環状の枠部材のような、表示パネルを囲む一周分の長さの部材は不要であり、表示パネル１０を側方から支持する部材の軽量化が図られる。
【００３６】
また、導光板１２の端面に光を入射する光源部６０の前方には光源カバー７０が配置されるため、画像表示装置１の前方への不要光の漏れ出しが抑制される。さらに、コーナー部材３０の一部が、光源カバー７０と前後方向において重ねられることで、光源カバー７０の長手方向の端部からの不要光の漏れ出しは、コーナー部材３０によって抑制される。
【００３７】
このように、本態様の画像表示装置１は、表示パネル１０を備え、かつ、軽量化が可能な画像表示装置である。また、本実施の形態では、表示パネル１０を側方から支持する部材を、表示パネル１０の角部に対応する部分（コーナー部材３０）のみ限定することで、画像表示装置１の軽量化を図っており、この場合、例えば、光源部６０からの不要光の漏れ出しの問題が生じ得る。しかし、この不要光の漏れ出しは、光源カバー７０及びコーナー部材３０によって抑制される。従って、本実施の形態に係る画像表示装置１によれば、画像表示装置としての品質を損なうことなく軽量化を図ることができる。
【００３８】
また、本実施の形態では、図４に示すように、光源カバー７０は、光源部６０側の面に形成された光反射面７１を有している。具体的には、上述のようにステンレス鋼を素材とする光源カバー７０の内面（光源部６０側の面）は、例えば研磨によって光反射率が高められており、その結果、光源部６０からの光を効率よく光源部６０の方向に戻す光反射面７１として機能している。
【００３９】
つまり、光源部６０の複数のＬＥＤ素子６１のそれぞれから放出された光には、上述のように前方に向かう光、つまり、光源カバー７０に向かう光も含まれる。この光源カバー７０に向かう光を、光反射面７１によって光源部６０の方向に戻すことで、当該光を、導光板１２の端面に入射する有用な光として使用することができる。つまり、光源カバー７０は、不要光の漏れ出しを抑制し、かつ、光源部６０から放出された光の全体における、表示パネル１０の画像表示のために使用される有用な光の割合を向上させることができる。
【００４０】
また、本実施の形態に係る画像表示装置１では、光学シート部１５を、２つのコーナー部材３０の間に配置されたホルダに支持させる構造が採用されている。このホルダに関する構造について、上述の図１を用い、さらに図５〜図７を参照しながら説明する。
【００４１】
［３．光学シートホルダに関する構造］
図５は、実施の形態１に係る光学シート部１５がベースプレート５０に配置された状態を示す斜視図である。図６は、実施の形態１に係る光学シート部１５をベースプレート５０から離した状態を示す斜視図である。図７は、実施の形態１に係る光学シート部１５、反射シート１３、及び光学シートホルダ８０をベースプレート５０から離した状態を示す斜視図である。なお、図７において、反射シート１３と、光学シート部１５との間に配置される導光板１２の図示は省略されている。
【００４２】
図１、及び、図５〜図７に示すように、本実施の形態に係る画像表示装置１は、導光板１２と表示パネル１０との間に配置された光学シート部１５を備える。本実施の形態では、光学シート部１５は、それぞれがプリズムシートまたは拡散シート等である第一光学シート１６と第二光学シート１７とを含む。コーナー部材３０は、正面視において矩形状のベースプレート５０における４つの角部のそれぞれに配置されている。ベースプレート５０における、隣り合う２つの角部に配置された２つのコーナー部材３０の間の位置に、光学シート部１５を支持する光学シートホルダ８０が配置されている。
【００４３】
具体的には、ベースプレート５０を正面視した場合における左上のコーナー部材３０と、右上のコーナー部材３０との間に、２つの光学シートホルダ８０が配置されている。より詳細には、図７に示すように、矩形状のベースプレート５０の上辺に２つのホルダ取付部５５が設けられている。例えば、樹脂製の光学シートホルダ８０の爪が、ホルダ取付部５５が有する孔に係合することで、光学シートホルダ８０がホルダ取付部５５に取り付けられる。
【００４４】
２つの光学シートホルダ８０のそれぞれは、１以上の光学シートを支持する支持部材の一例であり、図６及び図７に示すように、凸部８１を有している。また、第一光学シート１６は上辺から突出した２つのタブ１６ａを有し、第二光学シート１７は上辺から突出した２つのタブ１７ａを有する。２つのタブ１６ａ及び２つのタブ１７ａのそれぞれには、凸部８１が挿入可能な開口が形成されている。さらに、正面視において左側の光学シートホルダ８０の凸部８１が、正面視において左側のタブ１６ａ及びタブ１７ａそれぞれの開口に挿入される。また、正面視において右側の光学シートホルダ８０の凸部８１が、正面視において右側のタブ１６ａ及びタブ１７ａそれぞれの開口に挿入される。これにより、光学シート部１５は、２つの光学シートホルダ８０によって吊り下げ状に支持される。このように、光学シート部１５を２つの光学シートホルダ８０によって吊り下げ状に支持することで、例えば、温度変化による光学シート部１５のＸＹ平面内における伸縮を許容しつつ、光学シート部１５を安定的に支持することができる。
【００４５】
ここで、従来の画像表示装置では、例えば、表示パネルを囲む矩形環状の枠部材における上辺の部分を利用して、プリズムシート等の光学シートを支持することが可能である。この点に関し、本実施の形態に係る画像表示装置１では、上記の上辺に相当する部材（正面視において左上及び右上のコーナー部材３０をつなぐ部材）は存在しない。そこで、左上及び右上のコーナー部材３０の間の空間を利用して、１以上（本実施の形態では２つ）の光学シートホルダ８０をベースプレート５０に配置する。これにより、光学シート部１５を適切に支持することができる。
【００４６】
また、光学シートホルダ８０を用いずに、例えば、ベースプレート５０の切り起こした部分に光学シート部１５を引っ掛けることで、光学シート部１５を支持させるとも可能である。しかしながら、この場合、例えば狭額縁化のために、矩形状のベースプレート５０の長辺に近接した位置を切り起こす必要があり、この場合、切り起こした部分における強度低下の問題が生じやすい。この点に関し、本実施の形態に係る画像表示装置１では、ベースプレート５０に設けられた小さな孔に光学シートホルダ８０を係合させることで、光学シートホルダ８０が取り付けられており、ベースプレート５０の強度低下の問題は生じ難い。さらに、例えば、光学シートホルダ８０に設けられた孔に、ベースプレート５０の突起を差し込むなど、ベースプレート５０に、孔または切り欠きなどの強度低下の原因となる加工を施すことなく、光学シートホルダ８０を取り付けることも可能である。
【００４７】
なお、本実施の形態においてベースプレート５０に配置される２つの光学シートホルダ８０のそれぞれは、同一の部品でもよい。つまり、左右に並ぶ２つの光学シートホルダ８０が共通化されてもよい。このことは、例えば、画像表示装置１の製造効率の向上、または、製造コストの抑制等の観点から有利である。
【００４８】
また、本実施の形態に係る画像表示装置１は、図１及び図７に示すように、導光板１２とベースプレート５０との間に配置された反射シート１３を備える反射シート１３は、光学シートホルダ８０と当接することで、前後方向と直交する方向への移動が規制される。なお、反射シート１３は、反射板の一例である。
【００４９】
具体的には、反射シート１３には、図７に示すように上方に突出した突出部１３ａが設けられており、突出部１３ａが、光学シートホルダ８０に当接することで、反射シート１３の左右方向の位置が規制される。より詳細には、反射シート１３には左右に並ぶ２つの突出部１３ａが設けられており、これら２つの突出部１３ａを挟む位置に、２つの光学シートホルダ８０が配置される。この構成によれば、２つの突出部１３ａのうちの左側の突出部１３ａが左側の光学シートホルダ８０に当接することで、反射シート１３の、左側（Ｙ軸マイナス側）への移動が規制される。また、２つの突出部１３ａのうちの右側の突出部１３ａが、右側の光学シートホルダ８０に当接することで、反射シート１３の、右側（Ｙ軸プラス側）への移動が規制される。
【００５０】
このように、本実施の形態に係る光学シートホルダ８０は、光学シート部１５を支持する役割に加え、反射シート１３の位置を規制する役割も担うことができる。これにより、例えば、画像表示装置１を構成する部品点数の削減が可能となる。また、反射シート１３は、左右方向の端部ではなく中間部分の突出部１３ａで移動が規制される。そのため、例えば、ベースプレート５０において反射シート１３の左右のスペースが比較的に大きい場合であっても、反射シート１３が左右の一方に寄ることが防止される。つまり、導光板１２に対して反射シート１３が正しい位置に維持される。
【００５１】
［４．光源部の位置決め構造］
図８は、実施の形態１に係る光源部６０の位置決め構造を示す斜視図である。図８に示すように、ベースプレート５０は、光源部６０の長手方向における端部に当接する舌片部５６であって、ベースプレート５０の一部を切り起こして設けられた舌片部５６を有する。
【００５２】
このように、ベースプレート５０は、切り起こしによる舌片部５６を有することで、例えば、光源部６０の位置決め用の部品を別途用いることなく、光源部６０の長手方向の位置を、導光板１２の端面に対する適切な位置に決めることができる。このことは、画像表示装置１が表示する画質等の品質の向上に寄与する。また、本実施の形態において、舌片部５６を形成する部分は、ベースプレート５０の角部であり、例えば、ベースプレート５０のＹ軸方向またはＸ軸方向の端部が押された場合において、曲げ応力が集中し難い部分である。従って、舌片部５６の形成のための切り起こしによるベースプレート５０の強度低下が問題となり難い部分であると言える。
【００５３】
ここで、例えばベースプレート５０の側壁部５２の一部を、Ｚ軸方向の軸を中心として折り曲げる（内側に倒す）ことで、光源部６０の端面に当接する折り曲げ部を形成するとは可能である。しかしながら、折り曲げ部における、光源部６０の端面に当接する位置は、折り曲げ部の曲げ角度の大小によって変わりやすいため、当該位置の精度を高めることは困難である。また、例えば、画像表示装置１の薄型化の要求から、側壁部５２の高さ（Ｚ軸方向の幅）は小さいことが好ましく、このことにより、折り曲げ部の幅が光源部６０の位置決めに十分ではない可能性も生じる。
【００５４】
これに対し、本実施の形態では、ベースプレート５０の一部を、光源部６０の長手方向（Ｘ軸方向）に沿った軸を中心に回動して切り起こすことで舌片部５６が形成されている。また、舌片部５６の当該長手方向（Ｘ軸方向）の端面に、光源部６０の基板６２の端面が当接することで、光源部６０の位置決めがなされる。
【００５５】
この場合、例えば舌片部５６のＸ軸方向の端面の位置は、舌片部５６のＸＹ平面に対する傾き角度が変わった場合であっても実質的に一定の位置に維持される。つまり、光源部６０の位置決めに用いられる部位（舌片部５６）を、簡易的な作業で精度よく形成することが可能である。すなわち、本実施の形態に係る画像表示装置１では、煩雑な作業を伴わず、または、複雑な部品を用いることなく、光源部６０が精度よく位置決めされている。
【００５６】
また、本実施の形態では、図８に示すように、舌片部５６の先端は、奥側（Ｚ軸プラス側）に向けられている。これにより、例えば、反射シート１３（図７参照）を、ベースプレート５０に配置する際に、反射シート１３の端部が、舌片部５６の奥側に潜り込む可能性が低減される。
【００５７】
（実施の形態１に関連する他の実施の形態）
以上のように、本出願において開示する技術の例示として、実施の形態１を説明した。しかしながら、本開示における技術は、これらに限定されず、適宜、変更、置き換え、付加、省略などを行った実施の形態にも適用可能である。また、上記実施の形態１で説明した各構成要素を組み合わせて、新たな実施の形態とすることも可能である。そこで、以下に、実施の形態１に関連する他の実施の形態を例示する。
【００５８】
例えば、実施の形態１に係るベースプレート５０では、例えば図７に示すように、左上のコーナー部材３０と右上のコーナー部材３０との間であって、ホルダ取付部５５が設けられていない領域に、ベースプレート５０の上辺が凹んだ箇所が存在する。この箇所に、例えば、画像表示装置１の電源のオン及びオフ等の指示を示す信号を受信する受信部を配置してもよい。
【００５９】
図９は、ベースプレート５０における受信部９０の配置位置の例を示す斜視図である。実施の形態１に係るベースプレート５０では、ベースプレート５０の上端部であって、かつ、２つのホルダ取付部５５の間、及び、２つのホルダ取付部５５の左右の両側には、何らかの部材が配置可能な３つの空間（図９における、空間Ａ、Ｂ、Ｃ）が存在する。そこで、これらの空間の少なくとも１つに、所定の信号を受信する受信部９０を配置してもよい。つまり、ベースプレート５０における、隣り合う２つの角部に配置された２つのコーナー部材３０の間の位置に、所定の信号を受信する受信部９０が配置されてもよい。
【００６０】
具体的には、図９に示す空間Ａ、Ｂ、Ｃは、正面視においてベゼル２０（図１参照）に隠される領域である。そのため、これら空間Ａ、Ｂ、Ｃのいずれかに受信部９０を配置することで、外観に変化をもたらすことなく、外部の装置からの制御信号等を受信することができる。また、受信部９０の前方に配置されるベゼル２０は一般に樹脂で形成されるため、例えば、金属製のベースプレート５０の背面に受信部９０を配置する場合と比較すると、画像表示装置１の前方から送信される信号を受信しやすいと言える。
【００６１】
なお、受信部９０としては、専用のリモコンまたはスマートフォン等の携帯機器から無線ＬＡＮ（Ｌｏｃａｌ  Ａｒｅａ  Ｎｅｔｗｏｒｋ）、または、Ｂｌｕｅｔｏｏｔｈ（登録商標）等の所定の通信方式に従って送信される信号を受信するアンテナが例示される。また、例えば、受信部９０として、赤外線リモコンから送出される赤外光を受光する受光装置が例示される。この場合、ベゼル２０における受信部９０の前方の部分は、赤外光が通過するように、透光性を有する部材で形成されてもよい。
【００６２】
バックライトユニット１１における光源部６０の位置は、正面視において導光板１２の左側には限定されない。例えば、導光板１２の左右の両側に光源部６０が配置されてもよい。また、導光板１２の上下の少なくとも一方に、光源部６０が配置されてもよい。いずれの場合であっても、光源部６０の前方に光源カバー７０を配置し、かつ、光源カバー７０の端部とコーナー部材３０の一部とをオーバーラップさせることで、光源部６０からの漏れ光は抑制される。
【００６３】
ベースプレート５０の４つの角部に配置される４つのコーナー部材３０のそれぞれは、同一の形状及びサイズであってもよく、互いに異なる形状及びサイズであってもよい。つまり、４つのコーナー部材３０を、ベースプレート５０の４つの角部に適切な態様で取り付けることができるのであれば、４つのコーナー部材３０は、共通化されてもよく、共通化がされなくてもよい。
【００６４】
光源カバー７０は、ステンレス鋼等の金属で形成されている必要はなく、樹脂等の非金属材料で形成されていてもよい。例えば白色樹脂により光源カバー７０を形成することで、内面（光源部６０側の面）を、光反射面７１として機能させることもできる。
【００６５】
本実施の形態において、画像表示装置１は、例えば液晶テレビとして実現されるとした。しかしながら、画像表示装置１の構成は、例えば、パーソナルコンピュータ用のモニタディスプレイ、または、タブレット端末もしくはスマートフォン等の携帯端末等に適用されてもよい。
【００６６】
（実施の形態２）
以下、実施の形態２として、光漏れの発生の抑制効果が高い構造を有する画像表示装置について説明する。
【００６７】
先行技術文献として記載した特許文献２は、表示パネルと、表示パネルの背面に光を照射するエッジライト型のバックライトとを備えた画像表示装置を開示する。エッジライト型のバックライトは、導光板と、導光板の端面に対向して配置された光源とを有している。光源からの光は、導光板の端面に入射する。導光板の端面に入射した光は、導光板の前面（主面）から表示パネルの背面に向けて出射する。
【００６８】
本願発明者らは、上記の技術に関し、以下の問題が生じることを見出した。
【００６９】
近年、画像表示装置において、表示パネルの外周部を覆う矩形状の枠状の加飾ベゼルの幅を狭くする、いわゆる狭額縁化の要望が高まっている。しかしながら、特許文献２の画像表示装置において狭額縁化を実現した場合、導光板の端面に入射した光の一部である強い直進光が表示パネルの前面から漏れる、いわゆる光漏れが発生する。これにより、表示パネルの前面における光源の近傍には、局所的に明るい領域（いわゆる、ホットスポット）が生じるという問題が生じる。
【００７０】
本開示は、表示パネルにおいて光漏れが発生するのを抑制することができる画像表示装置を提供する。
【００７１】
本開示における画像表示装置は、前面に画像を表示する表示パネルと、端面と、端面から入射した光を表示パネルの背面に向けて出射する主面と、を有する導光板と、導光板の端面に対向して配置された光源と、表示パネルと導光板との間に配置された光学シートと、表示パネルと導光板との間に配置され、導光板の光源側の端部における主面からの光を遮光するための遮光部と、を備える。
【００７２】
本開示における画像表示装置によれば、表示パネルにおいて光漏れが発生するのを抑制することができる。
【００７３】
［１．画像表示装置の構成］
まず、図１０〜図１７を参照しながら、実施の形態２に係る画像表示装置２の構成について説明する。図１０は、実施の形態２に係る画像表示装置２を示す斜視図である。図１１は、実施の形態２に係る画像表示装置２を示す分解斜視図である。図１２は、ベゼル１１６及び表示パネル１１４を取り外した状態での、実施の形態２に係る画像表示装置２を示す斜視図である。図１３は、図１２のＸＩＩＩ−ＸＩＩＩ線による、実施の形態２に係る画像表示装置２の要部断面図である。図１４は、図１２のＸＩＶ−ＸＩＶ線による、実施の形態２に係る画像表示装置２の要部断面図である。図１５Ａは、実施の形態２に係る第二光学シート１３８の構成を説明するための概略平面図である。図１５Ｂは、図１５ＡのＸＶＢ−ＸＶＢ線による、実施の形態２に係る第二光学シート１３８の概略断面図である。図１６は、実施の形態２に係る光学シート部１０８を示す分解斜視図である。図１７は、図１４の一部を拡大して示す、実施の形態２に係る画像表示装置２の要部断面図である。
【００７４】
図１０に示すように、画像表示装置２は、例えばポータブル型の小型（例えば１５インチサイズ）の液晶テレビジョン受像機である。ユーザは、例えば家屋内における自分の好みの設置場所へ、画像表示装置２を容易に持ち運ぶことができる。
【００７５】
図１０及び図１１に示すように、画像表示装置２は、ベースプレート１０４と、バックライト１０６と、光学シート部１０８と、光源カバー１１０と、複数のコーナー部材１１２ａ，１１２ｂ，１１２ｃ及び１１２ｄ（１１２ａ〜１１２ｄ）と、表示パネル１１４と、ベゼル１１６とを備えている。
【００７６】
図１１に示すように、ベースプレート１０４は、バックライト１０６、光学シート部１０８及び光源カバー１１０等を支持するための部材であり、下フレームとも称される。ベースプレート１０４は、薄い板金で形成され、ＸＹ平面視で矩形状に形成されている。図１１〜図１４に示すように、ベースプレート１０４の外周部には、表示パネル１１４側に向けて延びる側壁部１１８が形成されている。側壁部１１８は、例えば板金の曲げ加工により形成され、ベースプレート１０４の外周部の全周に亘って配置されている。画像表示装置２を設置したときの側壁部１１８の上側の端部１１８ａには、光学シート部１０８を支持するための複数の突部（図示せず）が形成されている。複数の突部は、例えば板金の切り起こし加工により形成され、側壁部１１８の端部１１８ａに沿って間隔を置いて配置されている。
【００７７】
図１１に示すように、バックライト１０６は、エッジライト型のバックライトである。バックライト１０６は、光源部１２０と、導光板１２２と、反射シート１２４とを有している。
【００７８】
光源部１２０は、光を発する光源である。図１３及び図１４に示すように、光源部１２０は、基板１２６と、複数のＬＥＤ素子１２８とを有している。基板１２６は、長尺状のプリント配線基板である。基板１２６は、例えば熱伝導性を有する両面粘着テープ（図示せず）により、画像表示装置２を設置したときのベースプレート１０４の側壁部１１８の左側の端部１１８ｂ（画像表示装置２の正面から見て左側の端部）に取り付けられている。なお、基板１２６は、熱伝導性の高い金属、例えばアルミニウム等で形成されている。複数のＬＥＤ素子１２８は、基板１２６上に実装されている。複数のＬＥＤ素子１２８は、基板１２６の長手方向（Ｙ軸方向）に沿って一列に、且つ、間隔を置いて配置されている。複数のＬＥＤ素子１２８の各々は、例えばチップ型のＬＥＤである。
【００７９】
図１１に示すように、導光板１２２は、ＸＹ平面視で矩形状の板状に形成されている。導光板１２２は、例えばアクリル樹脂の射出成形により形成される。図１３に示すように、導光板１２２は、クッション部材１３０を介して、ベースプレート１０４の内面（表示パネル１１４側の面）に支持されている。導光板１２２の主面１２２ａは、表示パネル１１４の背面１１４ｂに対向して配置されている。また、導光板１２２の光源部１２０側の端部１２２ｂにおける端面１２２ｃは、光源部１２０の複数のＬＥＤ素子１２８に対向して配置されている。すなわち、複数のＬＥＤ素子１２８は、導光板１２２の端面１２２ｃの長手方向に沿って間隔を置いて配置されている。複数のＬＥＤ素子１２８の各々からの光は、導光板１２２の端面１２２ｃに入射する。なお、図１４に示すように、基板１２６には、複数のＬＥＤ素子１２８の各々と導光板１２２の端面１２２ｃとの間に隙間を形成するためのスペーサ１３２が取り付けられている。
【００８０】
図１１、図１３及び図１４に示すように、反射シート１２４は、導光板１２２の背面１２２ｄ（主面１２２ａと反対側の面）を覆うように配置されている。反射シート１２４は、導光板１２２の端面１２２ｃに入射した光を、導光板１２２の主面１２２ａに向けて反射する。反射シート１２４で反射した光は、導光板１２２の主面１２２ａから出射して、表示パネル１１４の背面１１４ｂに入射する。
【００８１】
図１１に示すように、光源カバー１１０は、表示パネル１１４側から光源部１２０及び導光板１２２の端部１２２ｂを覆うためのカバー部材である。図１２〜図１４に示すように、光源カバー１１０は、長尺状に形成され、ベースプレート１０４の側壁部１１８の端部１１８ｂに凹凸嵌合により取り付けられている。すなわち、光源カバー１１０は、導光板１２２の端部１２２ｂにおける一辺（Ｙ軸方向に延びる辺）に沿って延びている。図１３及び図１４に示すように、光源カバー１１０には、導光板１２２の端部１２２ｂから光源部１２０に向けて（Ｘ軸方向のプラス側からマイナス側に向けて）、導光板１２２から離れる方向（Ｚ軸のプラス側）に傾斜する傾斜部１３４が形成されている。なお、光源カバー１１０は、例えばＳＵＳ（ステンレス鋼）等の金属で形成され、その厚みは例えば約０．２ｍｍである。光源カバー１１０の光源部１２０側の面には、光反射面１１０ａが形成されている。複数のＬＥＤ素子１２８の各々からの光の一部は、光源カバー１１０の光反射面１１０ａで反射した後に、導光板１２２の端面１２２ｃに入射する。
【００８２】
図１１に示すように、光学シート部１０８は、光学的特性の異なる第一光学シート１３６及び第二光学シート１３８を含むユニットである。図１３及び図１４に示すように、第一光学シート１３６及び第二光学シート１３８は、相互に重ね合わされた状態で、表示パネル１１４と導光板１２２との間に配置されている。第一光学シート１３６は導光板１２２側に配置され、第二光学シート１３８は表示パネル１１４側に配置されている。第一光学シート１３６及び第二光学シート１３８の各々の厚みは、例えば０．１ｍｍ〜０．５ｍｍである。
【００８３】
第一光学シート１３６は、導光板１２２の主面１２２ａから出射した光を拡散するための拡散シートである。第二光学シート１３８は、導光板１２２の主面１２２ａから出射した光を拡散する拡散シートとしての機能と、導光板１２２の主面１２２ａから出射した光を集光するプリズムシートとしての機能とを有する複合シートであり、ＤＯＰ（Ｄｉｆｆｕｓｅｒ  Ｏｎ  Ｐｒｉｓｍ）シートとも称される。
【００８４】
図１５Ａ及び図１５Ｂに示すように、第二光学シート１３８は、プリズムシート１４０と拡散シート１４２とが相互に貼り合わされることにより形成されている。プリズムシート１４０は、ベース層１４４と、ベース層１４４上に形成されたプリズム部１４６とを有している。プリズム部１４６の方向は、水平方向（Ｘ軸方向）に対して角度θだけ傾斜している。角度θは、０°＜θ≦７°を満たすバイアス角度であり、例えば４°である。従来のプリズムシートのプリズム部の方向は、水平方向に対して平行である。しかしながら、このような構成では、プリズム部の方向が表示パネル１１４の画素の行方向（Ｘ軸方向）に対して平行となるため、プリズム部と表示パネル１１４の画素との干渉によりモアレが発生するおそれがある。これに対して、本実施の形態では、プリズム部１４６の方向は、表示パネル１１４の画素の行方向に対して傾斜しているので、プリズム部１４６と表示パネル１１４の画素との干渉が抑制され、上述したモアレの発生を抑制することができる。
【００８５】
図１６に示すように、第一光学シート１３６は、ＸＹ平面視で矩形状の第一シート本体部１４８と、画像表示装置２を設置したときの第一シート本体部１４８の上側の端部から上方（Ｙ軸プラス側）に突出した複数の第一タブ１５０とを有している。複数の第一タブ１５０は、第一シート本体部１４８の上側の端部に沿って間隔を置いて配置されている。複数の第一タブ１５０の各々には、長孔状の第一挿通孔１５２が形成されている。
【００８６】
第二光学シート１３８は、第一光学シート１３６と同様に、ＸＹ平面視で矩形状の第二シート本体部１５４と、画像表示装置２を設置したときの第二シート本体部１５４の上側の端部から上方に突出した複数の第二タブ１５６とを有している。複数の第二タブ１５６は、第二シート本体部１５４の上側の端部に沿って間隔を置いて配置されている。複数の第二タブ１５６の各々には、長孔状の第二挿通孔１５８が形成されている。
【００８７】
複数の第一タブ１５０の各々及び複数の第二タブ１５６の各々は、相互に重ね合わされた状態で配置されている。ベースプレート１０４の突部は、第一タブ１５０の第一挿通孔１５２と、第二タブ１５６の第二挿通孔１５８とに挿通されている。これにより、第一光学シート１３６及び第二光学シート１３８は、相互に重ね合わされた状態で、ベースプレート１０４の複数の突部から吊り下げられるようにして支持されている。図１３及び図１４に示すように、第一シート本体部１４８及び第二シート本体部１５４は、相互に重ね合わされた状態で、導光板１２２の主面１２２ａを覆うように配置されている。
【００８８】
また、図１６及び図１７に示すように、第一光学シート１３６の第一シート本体部１４８の光源部１２０側の端部１４８ａには、導光板１２２の端部１２２ｂにおける主面１２２ａからの光を遮光するための遮光部１６０が形成されている。遮光部１６０は、遮光性を有するインクが第一シート本体部１４８の導光板１２２側の面１４８ｂに印刷された領域（図１６において模様を付した領域）である。遮光性を有するインクは、例えば黒色のインクである。遮光部１６０は、第一シート本体部１４８の光源部１２０側の端部１４８ａにおける一辺（Ｙ軸方向に延びる辺）に沿って帯状に延びている。図１３及び図１４に示すように、遮光部１６０は、ＸＹ平面視で、ベゼル１１６と重なる領域に配置されている。遮光部１６０の短手方向（Ｘ軸方向）における幅Ｗは、例えば３〜５ｍｍである。なお、遮光部１６０は、導光板１２２の主面１２２ａからの光を必ずしも完全に遮光する必要はなく、導光板１２２の主面１２２ａからの光の一部のみを遮光しても構わない。
【００８９】
また、図１７に示すように、第一シート本体部１４８の光源部１２０側の端部１４８ａ及び第二シート本体部１５４の光源部１２０側の端部１５４ａは、相互に重ね合わされた状態で、光源カバー１１０の光源部１２０と反対側の面に摺動可能に載置されている。このとき、遮光部１６０は、導光板１２２の光源部１２０側の端部１２２ｂにおける主面１２２ａを覆うように配置されている。
【００９０】
図１１に示すように、複数のコーナー部材１１２ａ〜１１２ｄの各々は、表示パネル１１４の四隅を支持するための支持部材である。複数のコーナー部材１１２ａ〜１１２ｄの各々は、略Ｌ字状に形成されている。図１２及び図１３に示すように、複数のコーナー部材１１２ａ〜１１２ｄはそれぞれ、ベースプレート１０４の四隅に凹凸嵌合により取り付けられている。また、図１２に示すように、複数のコーナー部材１１２ａ〜１１２ｄのうち光源部１２０側に配置された一対のコーナー部材１１２ａ及び１１２ｃはそれぞれ、光源カバー１１０の長手方向（Ｙ軸方向）における両端部と重なり合っている。なお、複数のコーナー部材１１２ａ〜１１２ｄの各々は、例えばポリカーボネート等の樹脂で形成されている。
【００９１】
図１１に示すように、表示パネル１１４は、複数のガラス基板の間に液晶が封入された、いわゆる液晶セルである。表示パネル１１４の前面１１４ａ（背面１１４ｂと反対側の面）には、画像を表示するための表示面が形成されている。図１３に示すように、表示パネル１１４の四隅は、複数のコーナー部材１１２ａ〜１１２ｄに支持されている。
【００９２】
図１１に示すように、ベゼル１１６は、表示パネル１１４の前面１１４ａにおける外周部を保護及び装飾するための部材である。ベゼル１１６は、ＸＹ平面視で矩形状の枠状に形成されている。図１３及び図１４に示すように、ベゼル１１６は、表示パネル１１４の前面１１４ａにおける外周部を覆うようにして配置されている。図１３に示すように、ベゼル１１６と複数のコーナー部材１１２ａ〜１１２ｄの各々の外周部との間には、クッション部材１６２が介在されている。なお、ベゼル１１６は、例えばポリカーボネート等の樹脂で形成されている。
【００９３】
以上、説明したように、本実施の形態では、画像表示装置２は、前面１１４ａに画像を表示する表示パネル１１４と、端面１２２ｃと、端面１２２ｃから入射した光を表示パネル１１４の背面１１４ｂに向けて出射する主面１２２ａと、を有する導光板１２２と、導光板１２２の端面１２２ｃに対向して配置された光源部１２０と、表示パネル１１４と導光板１２２との間に配置された第一光学シート１３６と、表示パネル１１４と導光板１２２との間に配置され、導光板１２２の光源部１２０側の端部１２２ｂにおける主面１２２ａからの光を遮光するための遮光部１６０とを備える。
【００９４】
これにより、遮光部１６０が導光板１２２の光源部１２０側の端部１２２ｂにおける主面１２２ａからの光を遮光するの。そのため、画像表示装置２において狭額縁化を実現した場合であっても、導光板１２２の端面１２２ｃに入射した光の一部である強い直進光が表示パネル１１４の前面１１４ａから漏れる、いわゆる光漏れが発生するのを抑制することができる。これにより、表示パネル１１４の前面１１４ａにおける光源部１２０の近傍の領域（図１０において一点鎖線の枠線Ｐで囲まれた領域）にホットスポットが生じるのを抑制することができる。
【００９５】
また、本実施の形態において、遮光部１６０は、第一光学シート１３６の光源部１２０側の端部１４８ａに形成されている。
【００９６】
これにより、表示パネル１１４と導光板１２２との間に配置された第一光学シート１３６を利用して、遮光部１６０を形成することができる。
【００９７】
また、本実施の形態において、遮光部１６０は、第一光学シート１３６の端部１４８ａにおける一辺に沿って帯状に延びている。
【００９８】
これにより、表示パネル１１４における光漏れの発生をより確実に抑制することができる。
【００９９】
また、本実施の形態において、遮光部１６０は、遮光性を有するインクが第一光学シート１３６の端部１４８ａに印刷された領域である。
【０１００】
これにより、第一光学シート１３６に遮光部１６０を容易に形成することができる。
【０１０１】
また、本実施の形態において、インクは、第一光学シート１３６の端部１４８ａにおける導光板１２２側の面１４８ｂに印刷されている。
【０１０２】
これにより、遮光部１６０により、光が第一光学シート１３６の内部に入射するのを効果的に抑制することができる。その結果、表示パネル１１４における光漏れの発生をより確実に抑制することができる。
【０１０３】
また、本実施の形態において、インクは、黒色のインクである。
【０１０４】
これにより、遮光部１６０の遮光率を高めることができる。
【０１０５】
また、本実施の形態において、画像表示装置２は、さらに、導光板１２２の端部１２２ｂにおける一辺に沿って延び、表示パネル１１４側から光源部１２０及び導光板１２２の端部１２２ｂを覆う光源カバー１１０を備える。光源カバー１１０の光源部１２０側の面には光反射面１１０ａが形成されている。第一光学シート１３６の端部１４８ａは、光源カバー１１０の光源部１２０と反対側の面に摺動可能に載置されている。
【０１０６】
これにより、光源カバー１１０が表示パネル１１４側から光源部１２０及び導光板１２２の端部１２２ｂを覆うので、表示パネル１１４の前面１１４ａにおける光源部１２０の近傍の領域にホットスポットが生じるのをより確実に抑制することができる。また、第一光学シート１３６の端部１４８ａが光源カバー１１０の光源部１２０と反対側の面に摺動可能に載置されている。そのため、第一光学シート１３６が光源部１２０からの熱により膨張した場合であっても、第一光学シート１３６が光源カバー１１０の面上を摺動することにより、第一光学シート１３６に皺が発生するのを抑制することができる。
【０１０７】
また、本実施の形態において、光源カバー１１０には、導光板１２２の端部１２２ｂから光源部１２０に向けて、導光板１２２から離れる方向に傾斜する傾斜部１３４が形成されている。
【０１０８】
これにより、光源部１２０からの光の一部は、傾斜部１３４における光反射面１１０ａで反射した後に、導光板１２２の端面１２２ｃに入射する。その結果、光源部１２０からの光の利用効率を高めることができる。また、第一光学シート１３６が光源部１２０からの熱により膨張した場合であっても、第一光学シート１３６が光源カバー１１０の傾斜部１３４上に乗り上げることにより、第一光学シート１３６に皺が発生するのを抑制することができる。
【０１０９】
また、本実施の形態において、画像表示装置２は、さらに、導光板１２２及び光源部１２０を支持するベースプレート１０４と、ベースプレート１０４の四隅にそれぞれ取り付けられ、表示パネル１１４の四隅を支持するための複数のコーナー部材１１２ａ〜１１２ｄとを備える。光源カバー１１０は、ベースプレート１０４の光源部１２０側の端部１１８ｂに取り付けられている。複数のコーナー部材１１２ａ〜１１２ｄのうち光源部１２０側に配置された一対のコーナー部材１１２ａ及び１１２ｃはそれぞれ、光源カバー１１０の長手方向における両端部と重なり合っている。
【０１１０】
従来の画像表示装置では、表示パネルの外周部の全周を支持する矩形状の枠状のモールドフレームが用いられている。本実施の形態では、従来のモールドフレームに代えて、複数のコーナー部材１１２ａ〜１１２ｄにより表示パネル１１４の四隅を支持するので、画像表示装置２の軽量化を図ることができる。また、一対のコーナー部材１１２ａ及び１１２ｃはそれぞれ、光源カバー１１０の長手方向における両端部と重なり合っている。そのため、表示パネル１１４の前面１１４ａに垂直な方向から見て、一対のコーナー部材１１２ａ及び１１２ｃと光源カバー１１０の長手方向における両端部との間に隙間が形成されることがない。その結果、表示パネル１１４のコーナー部（一対のコーナー部材１１２ａ及び１１２ｃの各近傍）における光漏れの発生をより確実に抑制することができる。
【０１１１】
（実施の形態２に関連する他の実施の形態）
以上のように、本出願において開示する技術の例示として、実施の形態２を説明した。しかしながら、本開示における技術は、これに限定されず、適宜、変更、置き換え、付加、省略などを行った実施の形態にも適用可能である。また、上記実施の形態２で説明した各構成要素を組み合わせて、新たな実施の形態とすることも可能である。
【０１１２】
そこで、以下に、実施の形態２に関連する他の実施の形態を例示する。
【０１１３】
実施の形態２では、画像表示装置２が液晶テレビジョン受像機である場合について説明したが、これに限定されない。画像表示装置２は、例えばパーソナルコンピュータ用の液晶ディスプレイ等の種々の画像表示装置であってもよい。
【０１１４】
実施の形態２では、光学シート部１０８は第一光学シート１３６及び第二光学シート１３８を含むように構成したが、これに限定されず、１枚の光学シート又は３枚以上の光学シートを含むように構成してもよい。
【０１１５】
実施の形態２では、遮光部１６０を黒色のインクで形成したが、これに限られず、例えば濃い灰色等、任意の色のインクで形成してもよい。
【０１１６】
実施の形態２では、遮光部１６０を第一光学シート１３６の第一シート本体部１４８の端部１４８ａに形成したが、これに限定されない。遮光部１６０は、例えば、第二光学シート１３８の第二シート本体部１５４の光源部１２０側の端部１５４ａに形成してもよいし、導光板１２２の端部１２２ｂにおける主面１２２ａに形成してもよい。
【０１１７】
実施の形態２では、遮光部１６０を第一光学シート１３６に印刷されたインクで形成したが、これに限定されず、例えば第一光学シート１３６の第一シート本体部１４８の端部１４８ａに貼り付けられたフィルム状の遮光テープ等で形成してもよい。
【０１１８】
実施の形態２では、複数のコーナー部材１１２ａ〜１１２ｄにより表示パネル１１４の四隅を支持したが、複数のコーナー部材１１２ａ〜１１２ｄに代えて、矩形状の枠状のモールドフレームにより表示パネル１１４の外周部の全周を支持してもよい。この場合には、光源カバー１１０を省略してもよい。
【０１１９】
以上のように、本開示における技術の例示として、実施の形態を説明した。そのために、添付図面および詳細な説明を提供した。
【０１２０】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１２１】
また、上述の実施の形態は、本開示における技術を例示するためのものであるから、請求の範囲またはその均等の範囲において種々の変更、置き換え、付加、省略などを行うことができる。
【産業上の利用可能性】
【０１２２】
本開示は、画像を表示するための画像表示装置に適用可能である。具体的には、テレビジョン受像機、モニタディスプレイ、デジタルサイネージ、タブレット端末、スマートフォン、または、テーブル型表示装置などに、本開示は適用可能である。
【符号の説明】
【０１２３】
１、２  画像表示装置
１０、１１４  表示パネル
１１  バックライトユニット
１２、１２２  導光板
１３、１２４  反射シート
１３ａ  突出部
１５、１０８  光学シート部
１６、１３６  第一光学シート
１６ａ、１７ａ  タブ
１７、１３８  第二光学シート
２０、１１６  ベゼル
３０、１１２ａ、１１２ｂ、１１２ｃ、１１２ｄ  コーナー部材
３１ａ、３１ｂ  係合孔
５０、１０４  ベースプレート
５１ａ、５１ｂ  突起
５２、１１８  側壁部
５５  ホルダ取付部
５６  舌片部
６０、１２０  光源部
６１、１２８  ＬＥＤ素子
６２、１２６  基板
７０、１１０  光源カバー
７１、１１０ａ  光反射面
８０  光学シートホルダ
８１  凸部
９０  受信部
１０６  バックライト
１１４ａ  前面
１１４ｂ、１２２ｄ  背面
１１８ａ、１１８ｂ、１２２ｂ、１４８ａ、１５４ａ  端部
１２２ａ  主面
１２２ｃ  端面
１３０、１６２  クッション部材
１３２  スペーサ
１３４  傾斜部
１４０  プリズムシート
１４２  拡散シート
１４４  ベース層
１４６  プリズム部
１４８  第一シート本体部
１４８ｂ  面
１５０  第一タブ
１５２  第一挿通孔
１５４  第二シート本体部
１５６  第二タブ
１５８  第二挿通孔
１６０  遮光部
【図１】
2019065230.tif 000003
【図２】
2019065230.tif 000004
【図３Ａ】
2019065230.tif 000005
【図３Ｂ】
2019065230.tif 000006
【図４】
2019065230.tif 000007
【図５】
2019065230.tif 000008
【図６】
2019065230.tif 000009
【図７】
2019065230.tif 000010
【図８】
2019065230.tif 000011
【図９】
2019065230.tif 000012
【図１０】
2019065230.tif 000013
【図１１】
2019065230.tif 000014
【図１２】
2019065230.tif 000015
【図１３】
2019065230.tif 000016
【図１４】
2019065230.tif 000017
【図１５Ａ】
2019065230.tif 000018
【図１５Ｂ】
2019065230.tif 000019
【図１６】
2019065230.tif 000020
【図１７】
2019065230.tif 000021
【国際調査報告】
2019065230.tif 000022
2019065230.tif 000023
2019065230.tif 000024
2019065230.tif 000025